(57)【要約】      （修正有）【課題】少ない光源によって光が円滑に流れるように見える照明効果を好適に奏でる照明装置を提供する。【解決手段】照明装置は、長手方向に互いに直列に配置される長尺の第１の導光体１０Ａおよび第２の導光体１０Ｂと、第１の導光体１０Ａの一方の端面に光を照射する第１の光源２０Ａと、第２の導光体１０Ｂの一方の端面に光を照射する第２の光源２０Ｂと、第１の光源２０Ａと第２の光源２０Ｂの点灯制御を行う制御装置を備える。【選択図】図７
2019055727.tif 000002
【特許請求の範囲】
【請求項１】
照明装置であって、
長尺の第１の導光体および第２の導光体であって、それらの長手方向に互いに直列に配置される第１の導光体および第２の導光体と、
前記第２の導光体から遠い側の前記第１の導光体の第１の端面に光を照射する第１の光源と、
前記第１の導光体に近い側の前記第２の導光体の第１の端面に光を照射する第２の光源と、
前記第１の光源と前記第２の光源の点灯の制御を含む点灯制御を行う制御装置と、を備え、
前記点灯制御は、前記第１の光源の輝度を０から第１の設定輝度まで増加させる第１の増加制御と、前記第１の増加制御に引き続き、前記第１の光源の輝度を前記第１の設定輝度で維持する第１の維持制御と、前記第１の維持制御に引き続き、前記第１の光源の輝度を前記第１の設定輝度から０まで減少させる第１の減少制御と、を含み、
前記点灯制御は、前記第２の光源の輝度を０から第２の設定輝度まで増加させる第２の増加制御と、前記第２の増加制御に引き続き、前記第２の光源の輝度を前記第２の設定輝度で維持する第２の維持制御と、前記第２の維持制御に引き続き、前記第２の光源の輝度を前記第２の設定輝度から０まで減少させる第２の減少制御と、を含み、
前記制御装置が前記第１の増加制御により前記第１の光源の輝度を０から増加させ始める時点を第１の増加開始時点とし、前記第２の増加制御により前記第２の光源の輝度を０から増加させ始める時点を第２の増加開始時点とすると、前記第１の増加開始時点は前記第２の増加開始時点よりも先であり、
前記制御装置が前記第１の増加制御により前記第１の光源の輝度を前記第１の設定輝度まで増加させ終わる時点を第１の増加終了時点とし、前記第２の増加制御により前記第２の光源の輝度を前記第２の設定輝度まで増加させ終わる時点を第２の増加終了時点とすると、前記第１の増加終了時点は前記第２の増加終了時点よりも先であり、
前記制御装置が前記第１の減少制御により前記第１の光源の輝度を前記第１の設定輝度から減少させ始める時点を第１の減少開始時点とし、前記第２の減少制御により前記第２の光源の輝度を前記第２の設定輝度から減少させ始める時点を第２の減少開始時点とすると、前記第１の減少開始時点は前記第２の減少開始時点と同時であり、
前記第１の増加開始時点から前記第２の増加終了時点までの時間は０．２秒以下である、照明装置。
【請求項２】
前記第２の増加開始時点は前記第１の増加終了時点と同時か、前記第１の増加終了時点よりも先である、請求項１に記載の照明装置。
【請求項３】
前記制御装置が前記第１の減少制御により前記第１の光源の輝度を０まで減少させ終わる時点を第１の減少終了時点とし、前記第２の減少制御により前記第２の光源の輝度を０まで減少させ終わる時点を第２の減少終了時点とすると、前記第１の減少終了時点は前記第２の減少終了時点と同時か、前記第２の減少終了時点よりも先である、請求項１または請求項２に記載の照明装置。
【請求項４】
前記第１の増加開始時点から前記第２の減少終了時点までの時間は０．２５秒から１秒の範囲内である、請求項３に記載の照明装置。
【請求項５】
前記第２の減少開始時点から前記第２の減少終了時点までの時間は０．５秒以下である、請求項３または請求項４に記載の照明装置。
【請求項６】
前記第２の増加終了時点から前記第２の減少開始時点までの時間は０．０５秒以上である、請求項１〜５のいずれか一項に記載の照明装置。
【請求項７】
前記制御装置は前記第１の増加制御により前記第１の光源の輝度を時間に対して指数関数的に増加させる、請求項１〜６のいずれか一項に記載の照明装置。
【請求項８】
前記制御装置は前記第２の増加制御により前記第２の光源の輝度を時間に対して指数関数的に増加させる、請求項１〜７のいずれか一項に記載の照明装置。
【請求項９】
前記第１の導光体から遠い側である前記第２の導光体の第２の端面に光を照射する第３の光源を更に備え、
前記点灯制御は前記第３の光源の点灯の制御を更に含み、
前記点灯制御は、前記第３の光源の輝度を０から第３の設定輝度まで増加させる第３の増加制御と、前記第３の増加制御に引き続き、前記第３の光源の輝度を前記第３の設定輝度で維持する第３の維持制御と、前記第３の維持制御に引き続き、前記第３の光源の輝度を前記第３の設定輝度から０まで減少させる第３の減少制御と、を含み、
前記制御装置が前記第３の増加制御により前記第３の光源の輝度を０から増加させ始める時点を第３の増加開始時点とすると、前記第２の増加開始時点は前記第３の増加開始時点よりも先であり、
前記制御装置が前記第３の増加制御により前記第３の光源の輝度を前記第３の設定輝度まで増加させ終わる時点を第３の増加終了時点とすると、前記第２の増加終了時点は前記第３の増加終了時点と同時か、前記第３の増加終了時点よりも先であり、
前記制御装置が前記第３の減少制御により前記第３の光源の輝度を前記第３の設定輝度から減少させ始める時点を第３の減少開始時点とすると、前記第２の減少開始時点は前記第３の減少開始時点と同時であり、
前記第１の増加開始時点から前記第３の増加終了時点までの時間は０．２秒以下である、請求項１〜８の何れか一項に記載の照明装置。
【請求項１０】
長尺の第１の導光体および第２の導光体であって、それらの長手方向に互いに直列に配置される第１の導光体および第２の導光体と、前記第２の導光体から遠い側の前記第１の導光体の第１の端面に光を照射する第１の光源と、前記第１の導光体に近い側の前記第２の導光体の第１の端面に光を照射する第２の光源と、を備える照明装置の点灯制御方法であって、
前記第１の光源の輝度を０から第１の設定輝度まで増加させる第１の増加ステップと、
前記第１の増加ステップに引き続き、前記第１の光源の輝度を前記第１の設定輝度で維持する第１の維持ステップと、
前記第１の維持ステップに引き続き、前記第１の光源の輝度を前記第１の設定輝度から０まで減少させる第１の減少ステップと、
前記第２の光源の輝度を０から第２の設定輝度まで増加させる第２の増加ステップと、
前記第２の増加ステップに引き続き、前記第２の光源の輝度を前記第２の設定輝度で維持する第２の維持ステップと、
前記第２の維持ステップに引き続き、前記第２の光源の輝度を前記第２の設定輝度から０まで減少させる第２の減少ステップと、を含み、
前記第１の増加ステップが前記第１の光源の輝度を０から増加させ始める時点を第１の増加開始時点とし、前記第２の増加ステップが前記第２の光源の輝度を０から増加させ始める時点を第２の増加開始時点とすると、前記第１の増加開始時点は前記第２の増加開始時点よりも先であり、
前記第１の増加ステップが前記第１の光源の輝度を前記第１の設定輝度まで増加させ終わる時点を第１の増加終了時点とし、前記第２の増加ステップが前記第２の光源の輝度を前記第２の設定輝度まで増加させ終わる時点を第２の増加終了時点とすると、前記第１の増加終了時点は前記第２の増加終了時点よりも先であり、
前記第１の減少ステップが前記第１の光源の輝度を前記第１の設定輝度から減少させ始める時点を第１の減少開始時点とし、前記第２の減少ステップが前記第２の光源の輝度を前記第２の設定輝度から減少させ始める時点を第２の減少開始時点とすると、前記第１の減少開始時点は前記第２の減少開始時点と同時であり、
前記第１の増加開始時点から前記第２の増加終了時点までの時間は０．２秒以下である、点灯制御方法。
【発明の詳細な説明】
【技術分野】
【０００１】
本発明は、導光体を有する照明装置に関する。
【背景技術】
【０００２】
近年、車両用照明装置には、ターンランプや車室内イルミネーションとして、カバー内に多数の光源を配列し、各光源が一方向に向かって順次点灯するとともに当該各光源が前記一方向に向かって順次消灯するような制御を行うことによって、光が一方向に線状ないし帯状に流れるように見える照明効果を奏するものが提案されている（例えば、特許文献１、２参照）。
【０００３】
この場合、光源一つ一つについて点灯タイミングを決めるため、多数の光源に加えて電子回路及び制御プログラムを有する制御部が必要となる。また、光の移動距離を長くすると必要な光源数が増え、配線や電子システムが複雑になる。これらの理由により、上記照明効果を奏する照明装置はコスト高であった。
特許文献３には、長尺状の導光部材の両端に光源を配置して、一方の光源と他方の光源の点灯と消灯のタイミングをずらすことで、少数の光源によって導光部材の一端から他端に光が流れるように見せる提案がされている（特許文献３の図５参照）。
【先行技術文献】
【特許文献】
【０００４】
【特許文献１】特開２０１２−９６５６４号公報
【特許文献２】特開２０１２−１７０６３号公報
【特許文献３】特許第６０９１０９６号公報
【発明の概要】
【発明が解決しようとする課題】
【０００５】
特許文献３の図５に記載の技術は、一方の光源と他方の光源のそれぞれの全灯と消灯とを組み合わせることで、導光部材の一端から他端へ向かって光が流れるように見える照明効果を奏することを意図したものである。そのため、導光部材の発光状態が時間経過に対して段階的に変わる結果、導光部材のうち明るく見える部分がその一端から他端へ移動するとしても段階的な移動となり、光の円滑な動きとして表現できない可能性がある。
【０００６】
特許文献３には更に、位相制御調光方式、または、ＰＷＭ調光方式などの調光制御手段により一方および他方の光源それぞれの調光制御を行うことで光のグラデーションを強調し、円滑に流れる光を明瞭に見せる旨の記載もある（特許文献３の段落［００７４］〜［００７６］参照）。しかしながら、その場合の光源の点灯条件について具体的な記載はない。
また、長尺の導光部材の中心部付近は導光部材の両端に配置された光源から遠いため、導光部材の中心部付近では明るさが不足する可能性もある。
更には、分離可能な部材にわたって光が流れるように見える演出を特許文献３に記載の照明装置を用いて行う場合には、各部材に対してそれぞれ上記の照明装置を設置する必要があり、結果として、使用する光源の数を削減する効果が薄れるという問題がある。
【０００７】
そこで本発明は、少ない光源によって光が円滑に流れるように見える照明効果を好適に奏し得る照明装置を提供することをその目的とする。
【課題を解決するための手段】
【０００８】
本発明者らは課題を解決するために鋭意検討を重ねた結果、下記のように本発明の各局面に想到した。
すなわち、本発明の第１の局面による照明装置は、長尺の第１の導光体および第２の導光体であって、それらの長手方向に互いに直列に配置される第１の導光体および第２の導光体と、第２の導光体から遠い側の第１の導光体の第１の端面に光を照射する第１の光源と、第１の導光体に近い側の第２の導光体の第１の端面に光を照射する第２の光源と、第１の光源と第２の光源の点灯の制御を含む点灯制御を行う制御装置と、を備え、点灯制御は、第１の光源の輝度を０から第１の設定輝度まで増加させる第１の増加制御と、第１の増加制御に引き続き、第１の光源の輝度を第１の設定輝度で維持する第１の維持制御と、第１の維持制御に引き続き、第１の光源の輝度を第１の設定輝度から０まで減少させる第１の減少制御と、を含み、点灯制御は、第２の光源の輝度を０から第２の設定輝度まで増加させる第２の増加制御と、第２の増加制御に引き続き、第２の光源の輝度を第２の設定輝度で維持する第２の維持制御と、第２の維持制御に引き続き、第２の光源の輝度を第２の設定輝度から０まで減少させる第２の減少制御と、を含み、制御装置が第１の増加制御により第１の光源の輝度を０から増加させ始める時点を第１の増加開始時点とし、第２の増加制御により第２の光源の輝度を０から増加させ始める時点を第２の増加開始時点とすると、第１の増加開始時点は第２の増加開始時点よりも先であり、制御装置が第１の増加制御により第１の光源の輝度を第１の設定輝度まで増加させ終わる時点を第１の増加終了時点とし、第２の増加制御により第２の光源の輝度を第２の設定輝度まで増加させ終わる時点を第２の増加終了時点とすると、第１の増加終了時点は第２の増加終了時点よりも先であり、制御装置が第１の減少制御により第１の光源の輝度を第１の設定輝度から減少させ始める時点を第１の減少開始時点とし、第２の減少制御により第２の光源の輝度を第２の設定輝度から減少させ始める時点を第２の減少開始時点とすると、第１の減少開始時点は第２の減少開始時点と同時であり、第１の増加開始時点から第２の増加終了時点までの時間は０．２秒以下である。
【発明の効果】
【０００９】
上記の点灯制御によれば、第１の導光体の第１の端面側から第２の導光体の第１の端面とは反対側の第２の端面側へ向かって光が円滑に流れるように見える照明効果を好適に奏することができる。特に、第１の増加開始時点から第２の増加終了時点までの時間を０．２秒以下とすることで、導光体の明るさの立ち上がりを好適な時間範囲内に行い、上記したような光が円滑に流れるように見える照明効果を好適に奏することができる。
また、上記局面の照明装置は、第１の光源と第１の導光体の組み合わせ、および、第２の光源と第２の導光体の組み合わせを用いており、第２の光源が、第１の導光体に近い側の第２の導光体の第１の端面に対して光を照射する配置を採用している。そのため、長尺の導光体の両端に光源を配置する構成において生じ得る、導光体の中心部付近で明るさが不足するという問題を回避できる。また、分離可能な２つの部材の一方の部材に第１の光源と第１の導光体の組み合わせを設置し、他方の部材に第２の光源と第２の導光体の組み合わせを設置すれば、少ない数の光源によって、第１の導光体から第２の導光体にわたって光が流れるように見える演出を行うことができる。
【００１０】
また、本発明の第２の局面によれば、上記照明装置において、第２の増加開始時点は第１の増加終了時点と同時か、第１の増加終了時点よりも先である。
また、本発明の第３の局面によれば、上記照明装置において、制御装置が第１の減少制御により第１の光源の輝度を０まで減少させ終わる時点を第１の減少終了時点とし、第２の減少制御により第２の光源の輝度を０まで減少させ終わる時点を第２の減少終了時点とすると、第１の減少終了時点は第２の減少終了時点と同時か、第２の減少終了時点よりも先である。
このような構成によれば、第１の導光体の第１の端面側から第２の導光体の第２の端面側へ向かって光が円滑に流れるように見える照明効果をより好適に奏することができる。
【００１１】
また、本発明の第４の局面によれば、上記照明装置において、第１の増加開始時点から第２の減少終了時点までの時間は０．２５秒から１秒の範囲内である。
また、本発明の第５の局面によれば、上記照明装置において、第２の減少開始時点から第２の減少終了時点までの時間は０．５秒以下である。
これらの構成によれば、第１の導光体の第１の端面側から第２の導光体の第２の端面側へ向かって光が円滑に流れるように見える照明効果をより好適に奏することができる。
【００１２】
また、本発明の第６の局面によれば、上記照明装置において、第２の増加終了時点から第２の減少開始時点までの時間は０．０５秒以上である。
このような構成によれば、第１の光源を第１の設定輝度に維持し、第２の光源を第２の設定輝度に維持する時間を一定時間以上確保できる。
【００１３】
また、本発明の第７の局面によれば、上記照明装置において、制御装置は第１の増加制御により第１の光源の輝度を時間に対して指数関数的に増加させる。
また、本発明の第８の局面によれば、上記照明装置において、制御装置は第２の増加制御により第２の光源の輝度を時間に対して指数関数的に増加させる。
これらの構成によれば、第１の導光体の第１の端面側から第２の導光体の第２の端面側へ向かって光が時間の経過に対して線形に流れる（すなわち、略一定の速度で流れる）ように見える照明効果を奏することができる。
【００１４】
また、本発明の第９の局面によれば、上記照明装置において、第１の導光体から遠い側である第２の導光体の第２の端面に光を照射する第３の光源を更に備え、点灯制御は第３の光源の点灯の制御を更に含み、点灯制御は、第３の光源の輝度を０から第３の設定輝度まで増加させる第３の増加制御と、第３の増加制御に引き続き、第３の光源の輝度を第３の設定輝度で維持する第３の維持制御と、第３の維持制御に引き続き、第３の光源の輝度を第３の設定輝度から０まで減少させる第３の減少制御と、を含み、制御装置が第３の増加制御により第３の光源の輝度を０から増加させ始める時点を第３の増加開始時点とすると、第２の増加開始時点は第３の増加開始時点よりも先であり、制御装置が第３の増加制御により第３の光源の輝度を第３の設定輝度まで増加させ終わる時点を第３の増加終了時点とすると、第２の増加終了時点は第３の増加終了時点と同時か、第３の増加終了時点よりも先であり、制御装置が第３の減少制御により第３の光源の輝度を第３の設定輝度から減少させ始める時点を第３の減少開始時点とすると、第２の減少開始時点は第３の減少開始時点と同時であり、第１の増加開始時点から第３の増加終了時点までの時間は０．２秒以下である。
このような構成によれば、第１の導光体の第１の端面側から第２の導光体の第２の端面側へ向かって光が円滑に流れるように見える照明効果をより好適に奏することができる。
【００１５】
また、本発明の第１０の局面による照明装置の点灯制御方法は、長尺の第１の導光体および第２の導光体であって、それらの長手方向に互いに直列に配置される第１の導光体および第２の導光体と、第２の導光体から遠い側の第１の導光体の第１の端面に光を照射する第１の光源と、第１の導光体に近い側の第２の導光体の第１の端面に光を照射する第２の光源と、を備える照明装置の点灯制御方法であって、第１の光源の輝度を０から第１の設定輝度まで増加させる第１の増加ステップと、第１の増加ステップに引き続き、第１の光源の輝度を第１の設定輝度で維持する第１の維持ステップと、第１の維持ステップに引き続き、第１の光源の輝度を第１の設定輝度から０まで減少させる第１の減少ステップと、第２の光源の輝度を０から第２の設定輝度まで増加させる第２の増加ステップと、第２の増加ステップに引き続き、第２の光源の輝度を第２の設定輝度で維持する第２の維持ステップと、第２の維持ステップに引き続き、第２の光源の輝度を第２の設定輝度から０まで減少させる第２の減少ステップと、を含み、第１の増加ステップが第１の光源の輝度を０から増加させ始める時点を第１の増加開始時点とし、第２の増加ステップが第２の光源の輝度を０から増加させ始める時点を第２の増加開始時点とすると、第１の増加開始時点は第２の増加開始時点よりも先であり、第１の増加ステップが第１の光源の輝度を第１の設定輝度まで増加させ終わる時点を第１の増加終了時点とし、第２の増加ステップが第２の光源の輝度を第２の設定輝度まで増加させ終わる時点を第２の増加終了時点とすると、第１の増加終了時点は第２の増加終了時点よりも先であり、第１の減少ステップが第１の光源の輝度を第１の設定輝度から減少させ始める時点を第１の減少開始時点とし、第２の減少ステップが第２の光源の輝度を第２の設定輝度から減少させ始める時点を第２の減少開始時点とすると、第１の減少開始時点は第２の減少開始時点と同時であり、第１の増加開始時点から第２の増加終了時点までの時間は０．２秒以下である。
この方法によれば、本発明の第１の局面と同様の効果が得られる。
【図面の簡単な説明】
【００１６】
【図１】図１は、本発明の第１実施形態に係る照明装置の構成を説明するための概略の正面図である。
【図２】図２は、図１の照明装置の電気回路構成の概略のブロック図である。
【図３】図３は、図１の照明装置の点灯制御を説明するための図である。
【図４】図４は、図１の照明装置の発光態様の経時的変化の例を説明するための図である。
【図５】図５は、第１実施形態の変形例による点灯制御を説明するための図である。
【図６】図６は、本発明の第２実施形態に係るターンランプを備える自動車の後部を示す概略図である。
【図７】図７は、第２実施形態に係るターンランプの構成を説明するための概略図である。
【図８】図８は、本発明の第３実施形態に係る照明装置の構成を説明するための概略の正面図である。
【図９】図９は、図８の照明装置の電気回路構成の概略のブロック図である。
【図１０】図１０は、第３実施形態による点灯制御を説明するための図である。
【図１１】図１１は、本発明の第４実施形態に係るターンランプの構成を説明するための概略図である。
【発明を実施するための形態】
【００１７】
以下、本発明を具体化した複数の実施形態に係る照明装置について、添付の図面を参照しながら説明する。
（第１実施形態）
図１は、本発明の第１実施形態に係る照明装置１の構成を説明するための概略の正面図である。図２は、照明装置１の電気回路構成の概略のブロック図である。図１および図２に示すように、照明装置１は長尺の第１の導光体１０Ａ、長尺の第２の導光体１０Ｂを有し、それらは長手方向に互いに直列に配置される。照明装置１は更に、第２の導光体１０Ｂから遠い側の第１の導光体１０Ａの長手方向の一方の端面１１Ａ側に設けられる第１の光源２０Ａと、第１の導光体１０Ａに近い側の第２の導光体の長手方向の一方の端面１１Ｂ側に設けられる第２の光源２０Ｂとを有する。照明装置１は更に、第１および第２の光源２０Ａ、２０Ｂの点灯制御を行う制御部３０を備える。
【００１８】
（導光体）
第１および第２の導光体１０Ａ、１０Ｂは、フッ素樹脂などの透明な可撓性樹脂材料、ポリメチルメタクリレート樹脂（ＰＭＭＡ樹脂）、ポリカーボネート樹脂（ＰＣ樹脂）、環状ポリオレフィン樹脂（ＣＯＰ樹脂）、アクリル樹脂などの透明な剛性樹脂材料、もしくは、透明なガラス材料といった、透明な可撓性材料または剛性材料からなる。
【００１９】
図１に例示する第１および第２の導光体１０Ａ、１０Ｂは円形の横断面を有する柱状部材として形成されていてもよいが、第１および第２の導光体１０Ａ、１０Ｂの横断面形状は円形に限らず、楕円形や多角形などの形状であってもよい。第１および第２の導光体１０Ａ、１０Ｂは長尺の部材であれば柱状のものに限らず、横断面の面積や形状が長手方向に変化するものであってもよい。第１および第２の導光体１０Ａ、１０Ｂは長手方向の途中で屈曲していてもよい。第１および第２の導光体１０Ａ、１０Ｂは直線、屈曲線、曲線のいずれに沿って配列されていてもよい。図１に示す様に、第１の導光体１０Ａの他端（一方の端面１１Ａとは反対側の他方の端面１２Ａ近傍の部分）と、第２の導光体１０Ｂの一端（一方の端面１１Ｂ近傍の部分）とが近接配置され、それらの間に第２の光源２０Ｂが配置される。
【００２０】
第１の導光体１０Ａの一方の端面１１Ａは、第１の光源２０Ａからの光が入射する入射面として機能する。また、第２の導光体１０Ｂの一方の端面１１Ｂは、第２の光源２０Ｂからの光が入射する入射面として機能する。第１の導光体１０Ａの一方の端面１１Ａから第１の導光体１０Ａの内部へ入射した光は、第１の導光体１０Ａの周面１３Ａで反射を繰り返しながら第１の導光体１０Ａの内部を進行する。第１の導光体１０Ａの内部を進行する途中で、光の一部が臨界角を超えた場合に周面１３Ａから少しずつ漏光する。このため、周面１３Ａは、その全体から漏光する光出射面として機能する。同様に、第２の導光体１０Ｂの周面１３Ｂは、第２の光源２０Ｂからの光がその全体から漏光する光出射面として機能する。
【００２１】
第１および第２の導光体１０Ａ、１０Ｂは、何らかの加工等で漏光するようにされていてもよいし、光拡散材が含まれていてもよい。この場合には、第１および第２の導光体１０Ａ、１０Ｂ内部で光が多方向に拡散して周面１３Ａ、１３Ｂに当たりやすくなり、漏光しやすくなる。光拡散材は、光を拡散させたり反射させたりする性質を有するものであればよく、光拡散材としては、例えば、酸化チタンなど従来の一般的なものを用いることができる。
【００２２】
（光源）
第１の光源２０ＡはＬＥＤ２１Ａを有し、第２の光源２０ＢはＬＥＤ２１Ｂを有するものとする。ＬＥＤ２１Ａ、２１Ｂに代えて、ＥＬ（Electro Luminescence）素子、白熱電球、ハロゲン電球、冷陰極管など、公知の光源を採用することができる。第１および第２の光源２０Ａ、２０Ｂから放出される光はどのような色であってもよい。図２に示すように、第１および第２の光源２０Ａ、２０Ｂは、制御回路を備える制御部３０に電気的に接続される。
【００２３】
（制御部）
制御部３０は、第１および第２の光源２０Ａ、２０Ｂの輝度を一定に維持する制御に加えて、供給電力を調整する位相制御調光方式、または、ＰＷＭ（Pulse Width Modulation：パルス幅変調）信号に基づいて点灯および消灯を繰り返させるＰＷＭ調光方式など公知の調光制御手段により、第１および第２の光源２０Ａ、２０Ｂぞれぞれの輝度を経時的に連続的に変化させる態様での点灯制御を行うことができる。
【００２４】
（点灯制御）
次に、本実施形態に係る制御部３０が行う照明装置１の点灯制御の例を図１、２に加えて図３、４にも基づき説明する。図３の（Ａ）は照明装置１の第１の光源２０Ａの輝度ＩＡの制御態様を、時間ｔを横軸にとって示す説明図である。図３の（Ｂ）は照明装置１の第２の光源２０Ｂの輝度ＩＢの制御態様を、時間ｔを横軸にとって示す説明図である。図４は図３の点灯制御による照明装置１の経時的な発光態様の変化の一例を模式的に示す説明図である。図３の時点ａ〜ｇにおける照明装置１の発光態様を、図４の（ａ）〜（ｇ）にそれぞれ模式的に示す。
【００２５】
制御部３０が第１の光源２０Ａについて行う点灯制御は、図３の（Ａ）に示す様に、第１の光源２０Ａの輝度ＩＡを０から第１の設定輝度Ｉ１まで徐々に増加させる第１の増加制御と、第１の増加制御に引き続き、第１の光源２０Ａの輝度ＩＡを第１の設定輝度Ｉ１で維持する第１の維持制御と、第１の維持制御に引き続き、第１の光源２０Ａの輝度ＩＡを第１の設定輝度Ｉ１から０まで徐々に減少させる第１の減少制御と、を含む。これにより、第１の光源２０Ａからの第１の導光体１０Ａの一方の端面１１Ａに対する投光量は、第１の増加制御により徐々に増加し、第１の維持制御により一定となり、第１の減少制御により徐々に減少する。
【００２６】
また、制御部３０が第２の光源２０Ｂについて行う点灯制御は、図３の（Ｂ）に示す様に、第２の光源２０Ｂの輝度ＩＢを０から第２の設定輝度Ｉ２まで徐々に増加させる第２の増加制御と、第２の増加制御に引き続き、第２の光源２０Ｂの輝度ＩＢを第２の設定輝度Ｉ２で維持する第２の維持制御と、第２の維持制御に引き続き、第２の光源２０Ｂの輝度ＩＢを第２の設定輝度Ｉ２から０まで徐々に減少させる第２の減少制御と、を含む。これにより、第２の光源２０Ｂからの第２の導光体１０Ｂの一方の端面１１Ｂに対する投光量は、第２の増加制御により徐々に増加し、第２の維持制御により一定となり、第２の減少制御により徐々に減少する。
【００２７】
また、図３に示すように、制御部３０が第１の増加制御により第１の光源２０Ａの輝度ＩＡを０から増加させ始める時点を第１の増加開始時点ｔ１ａとし、第２の増加制御により第２の光源２０Ｂの輝度ＩＢを０から増加させ始める時点を第２の増加開始時点ｔ１ｂとすると、第１の増加開始時点ｔ１ａは第２の増加開始時点ｔ１ｂよりも先である。
また、制御部３０が第１の増加制御により第１の光源２０Ａの輝度ＩＡを第１の設定輝度Ｉ１まで増加させ終わる時点を第１の増加終了時点ｔ２ａとし、第２の増加制御により第２の光源２０Ｂの輝度ＩＢを第２の設定輝度Ｉ２まで増加させ終わる時点を第２の増加終了時点ｔ２ｂとすると、第１の増加終了時点ｔ２ａは第２の増加終了時点ｔ２ｂよりも先である。
第２の増加開始時点ｔ１ｂは第１の増加終了時点ｔ２ａよりも先か、それと同時である。
【００２８】
また、制御部３０が第１の減少制御により第１の光源２０Ａの輝度ＩＡを第１の設定輝度Ｉ１から減少させ始める時点を第１の減少開始時点ｔ３ａとし、第２の減少制御により第２の光源２０Ｂの輝度ＩＢを第２の設定輝度Ｉ２から減少させ始める時点を第２の減少開始時点ｔ３ｂとすると、第１の減少開始時点ｔ３ａは第２の減少開始時点ｔ３ｂと同時である。
更に、第１の増加開始時点ｔ１ａから第２の増加終了時点ｔ２ｂまでの時間は０．２秒以下である。
【００２９】
以上説明した照明装置１の点灯制御によれば、図３の時点ｔ１ａ（すなわち、時点ａ）および図４の（ａ）に示すように、初期状態においては、第１および第２の光源２０Ａ、２０Ｂは消灯されており、第１および第２の導光体１０Ａ、１０Ｂが全消灯されている。
その後、第１の増加制御により第１の光源２０Ａの輝度ＩＡが増加を開始する。例えば、第２の増加開始時点ｔ１ｂ（時点ｂ）では、第１の光源２０Ａのみがある程度の輝度で点灯され、第２の光源２０Ｂは輝度ＩＢが０である。そのため、図４の（ｂ）に示す様に、第１の導光体１０Ａは一端側においてある程度明るく、他端側に向かって徐々に暗くなり、第２の導光体１０Ｂは全体が暗いものとして視認される。
【００３０】
その後の第１の増加終了時点ｔ２ａ（時点ｃ）では、第１の光源２０Ａの輝度ＩＡが時点ｂよりも高い第１の設定輝度Ｉ１となっており、第２の光源２０Ｂの輝度ＩＢもある程度増加していることから、図４の（ｃ）に示すように、第１の導光体１０Ａは全体が明るいか、または全体的に明るく他端近傍のみにてやや暗いものとして視認され、第２の導光体１０Ｂは一端側においてある程度明るく、他端側に向かって徐々に暗くなるものとして視認される。このとき、図４の（ｂ）に示す時点ｂにおける第１の導光体１０Ａの発光態様と比較すると、第１の導光体１０Ａのうち明るく見える部分が、一端側から他端側へ向けてより伸長していることが分かる。第１の増加制御における第１の光源２０Ａの輝度ＩＡの増加速度、および、第２の増加制御における第２の光源２０Ｂの輝度ＩＢの増加速度は、第１の増加終了時点ｔ２ａまでは、常に第１の導光体１０Ａの他端側の方が、第２の導光体１０Ｂの一端側よりも明るく視認されるようにそれぞれ設定されている
【００３１】
その後の第２の増加終了時点ｔ２ｂでは、第１の導光体１０Ａに加えて、第２の導光体１０Ｂも全体が明るいか、または全体的に明るく他端側近傍のみにてやや暗いものとして視認される。第２の増加終了時点ｔ２ｂ以降、第１の光源２０Ａと第２の光源２０Ｂがそれぞれ第１および第２の設定輝度Ｉ１、Ｉ２にて維持されるため、図４の（ｄ）に示すように、第１および第２の導光体１０Ａ、１０Ｂは全体もしくはほぼ全体が明るく見える。第１および第２の設定輝度Ｉ１、Ｉ２は第１および第２の導光体１０Ａ、１０Ｂが同程度の明るさに見える設定としてもよいが、これに限らない。
【００３２】
その後の第１の減少開始時点ｔ３ａおよび第２の減少開始時点ｔ３ｂ以降、第１の減少制御および第２の減少制御により、第１の光源２０Ａおよび第２の光源２０Ｂの輝度ＩＡ、ＩＢが徐々に減少する。なお、このときの第１の光源２０Ａの輝度ＩＡの減少速度および第２の光源２０Ｂの輝度ＩＢの減少速度は、第２の減少終了時点ｔ４ｂに至るまで、常に第１の導光体１０Ａの他端側の方が第２の導光体１０Ｂの一端側よりも暗く視認されるように、それぞれ設定されている。よって、第２の減少開始時点ｔ３ｂ以降の時点ｅでは第１の導光体１０Ａの他端側よりも第２の導光体１０Ｂの一端側の方が明るく、第２の導光体１０Ｂの他端側に行くに従って徐々に暗くなるものとして視認される。さらに第１の減少終了時点ｔ４ａ（時点ｆ）では第１の光源２０Ａの輝度ＩＡは０となるため第１の導光体１０は全体的に暗くなり、第２の光源２０Ｂの輝度ＩＢはまだ０となっていないため、第２の導光体１０Ｂの一端側がやや明るく、他端側に向けて徐々に暗くなるように視認される。
【００３３】
第２の減少終了時点ｔ４ｂ（すなわち、時点ｇ）においては、第１および第２の光源２０Ａ、２０Ｂが消灯され、第１および第２の導光体１０Ａ、１０Ｂは全消灯とされる。
本実施形態においては、第１の減少終了時点ｔ４ａは第２の減少終了時点ｔ４ｂよりも先としているが、同時としてもよい。第１の減少制御および第２の減少制御における第１の光源２０Ａの輝度ＩＡの減少速度および第２の光源２０Ｂの輝度ＩＢの減少速度は、第１の導光体１０Ａの他端側および第２の導光体１０Ｂの一端側が常に同程度の明るさに見えるように設定してもよい。第１の減少制御および第２の減少制御は、第１および第２の光源２０Ａ、２０Ｂの輝度ＩＡ、ＩＢを、同時かつ瞬時に０とするものであってもよい。
【００３４】
以上のような第１および第２の光源２０Ａ、２０Ｂの点灯制御により、図４に示す様に、第１および第２の導光体１０Ａ、１０Ｂのうち比較的明るく見える部分が第１の導光体１０Ａの一端側から第２の導光体１０Ｂの他端側へと時間経過とともに移動し、光が第１の導光体１０Ａの一端側から第２の導光体１０Ｂの他端側へと円滑に流れるような照明効果を奏することができる。特に、上述のとおり、第１の増加開始時点ｔ１ａから第２の増加終了時点ｔ２ｂまでの時間を０．２秒以下としているため、光がより円滑に流れるように見える演出を行うことができる。
上述の制御を繰り返し行ってもよく、その場合、第２の減少制御の終了時点である第２の減少終了時点ｔ４ｂに、次の回の点灯制御の第１の増加制御を開始することで、点灯制御を順次連続して行ってもよい。また、第２の減少終了時点ｔ４ｂと次の回の点灯制御の第１の増加制御の開始の間に０．２〜０．６秒の消灯時間を挿入してもよい。
【００３５】
（変形例）
第１の光源２０Ａから発せられた光は、第１の導光体１０Ａの内部を進むに従い、第１の導光体１０Ａ内部における進行距離に対して指数関数的に減衰すると考えられる。第２の光源２０Ｂおよび第２の導光体１０Ｂについても同様である。そのため、以上説明した第１実施形態の照明装置１の点灯制御の第１の増加制御において、図５の（Ａ）に示す様に、第１の光源２０Ａの輝度ＩＡを時間ｔに対して指数関数的に増加させるものとしてもよい。同様に、第２の増加制御において、図５の（Ｂ）に示すように、第２の光源２０Ｂの輝度ＩＢを時間ｔに対して指数関数的に増加させるものとしてもよい。これにより、光が第１の導光体１０Ａの一端側から第２の導光体１０Ｂの他端側に向かって時間ｔの経過に対して線形に流れる（すなわち、略一定の速度で流れる）ように見える演出を行うことができる。また、減少制御でも同様のことが言える。
【００３６】
（第２実施形態）
次に、本発明の照明装置１を自動車等の車両のターンランプに適用した例を、図６および図７を参照して説明する。ターンランプは、自動車等の車両の前方の左右位置および後方の左右位置その他の位置に取り付けられて車両の進行方向変更を点灯により表示するものである。本実施形態において、制御部３０は車両の各種電装品の動作を制御するためのＥＣＵ（Electronic Control Unit）であってもよく、乗員の操作などに基づいて照明装置１の点灯制御を行うように構成されていてもよい。
【００３７】
図６は、本実施形態に係るターンランプとしての照明装置１を含む自動車用灯体ユニットの一例として、車体の後方右側に装着されるリアコンビネーションランプ５０を有する自動車１００を例示する図であり、自動車１００を後方側から見た概略図である。図６の（Ａ）は自動車１００のトランク室蓋１０１を閉じた状態、（Ｂ）はトランク室蓋１０１を開いた状態を示す。図７は右側リアコンビネーションランプ５０のみを取り出して示す図である。
【００３８】
図示するように、右側リアコンビネーションランプ５０は、トランク室蓋１０１の後方面に配置される第１部分５０Ａと、自動車１００のボディ１０２の後方面に配置される第２部分５０Ｂの２つの部分からなる。第１部分５０Ａは、第１の導光体１０Ａと、第１の光源２０Ａと、灯体５１１、５１２（例えば、テールランプ、ブレーキランプ、それらを兼ねるランプ、バックランプのいずれか）と、車体内側に対面する第１のケーシング５２Ａと、第１のケーシング５２Ａの外周縁に嵌合されて第１部分５０Ａの表側となる樹脂製カバー（図示略）と、を備える。第２部分５０Ｂは、第２の導光体１０Ｂと、第２の光源２０Ｂと、灯体５１３（例えば、ブレーキランプ、バックランプ、ポジションランプのいずれか）と、車体内側に対面する第２のケーシング５２Ｂと、第２のケーシング５２Ｂの外周縁に嵌合されて第２部分５０Ｂの表側となる樹脂製カバー（図示略）と、を備える。図７の第１および第２の導光体１０Ａ、１０Ｂ、第１および第２の光源２０Ａ、２０Ｂ、および、図３に示す制御部３０が照明装置１を構成する。
【００３９】
第１および第２のケーシング５２Ａ、５２Ｂは、ポリプロピレン（ＰＰ）、アクリロニトリル−ブタジエン−スチレン共重合樹脂（ＡＢＳ）などの樹脂材料からなる。第１および第２の導光体１０Ａ、１０Ｂと、灯体５１１〜５１３の点灯状態は樹脂製カバーを通して外部から視認可能である。
図６（Ａ）に示すように、トランク室蓋１０１が閉じられた状態のときに、第１部分５０Ａと第２部分５０Ｂとが隣接し合い、第１の導光体１０Ａと第２の導光体１０Ｂとが直列に並ぶこととなり、第１の導光体１０Ａの他端と第２の導光体１０Ｂの一端が近接し合う。
【００４０】
車体を後方から見た場合、照明装置１の第１の導光体１０Ａの一端（図７の一方の端面１１Ａ側の端部）は水平方向における車体の中心側に配置され、第２の導光体１０Ｂの他端（図７の一方の端面１１Ｂとは反対側の他方の端面１２Ｂ側の端部）は水平方向における車体の外縁側に配置されることとなる。すなわち、車体を後方から見た場合、第１の導光体１０Ａの一端よりも第２の導光体１０Ｂの他端の方が右側に位置することとなる。そのため、図３、４または図５に基づき説明した照明装置１の点灯制御を行うと、車体の後方から見た場合、第１の導光体１０Ａの左側の端部から第２の導光体１０Ｂの右側の端部へ向かって光が流れるように見えることとなる。このような照明態様により、右側のターンランプ（照明装置１）を点灯させたときには、自動車の進路変更方向である右側へ向かって光が第１および第２の導光体１０Ａ、１０Ｂの長手方向に沿って流れるような演出を行うことができ、外部の観察者に対して自動車の進路変更方向をより明確に知らせることができる。
第１の導光体１０Ａと第１のケーシング５２Ａの間および第２の導光体１０Ｂと第２のケーシング５２Ｂの間にリフレクタを配置して第１および第２の導光体１０Ａ、１０Ｂの点灯状態の視認性を高めてもよい。
第２の導光体１０Ｂは、車体の側面まで回り込んでいてもよい。
【００４１】
本発明の照明装置１を本実施形態のように自動車のターンランプとして用いる場合、第１の導光体１０Ａの一端から第２の導光体１０Ｂの他端までの長さは約２００ｍｍ〜５００ｍｍの範囲内とすることが例示できる。また、第１および第２の光源２０Ａ、２０Ｂや第１および第２の導光体１０Ａ、１０Ｂの発光色をアンバー色とすることが例示できる。
また、上記の点灯制御において、第１の増加開始時点ｔ１ａから第２の減少終了時点ｔ４ｂまでの時間は０．２５秒から１秒の範囲内であるものとすることが好ましい。また、第２の減少開始時点ｔ３ｂから第２の減少終了時点ｔ４ｂまでの時間を０．５秒以下とすることが好ましい。第１の導光体１０Ａの一端側から第２の導光体１０Ｂの他端側へ向かって光が円滑に流れるように見える照明効果をより好適に奏することができるためである。
また、第２の増加終了時点ｔ２ｂから第２の減少開始時点ｔ３ｂまでの時間を０．０５秒以上とすることが好ましい。第１および第２の光源２０Ａ、２０Ｂをそれぞれ第１および第２の設定輝度Ｉ１、Ｉ２に維持する時間を十分に確保するためである。
【００４２】
図７のリアコンビネーションランプ５０と左右対称形の左側用のリアコンビネーションランプを図６に示す様に車体左側後方に配置してもよい。図３、４または図５に基づき説明した照明装置１の点灯制御を左側用のリアコンビネーションランプについて行うと、車体の後方から見た場合、第１の導光体１０Ａの右側の端部から第２の導光体１０Ｂの左側の端部へ向かって光が流れるように見える照明効果が得られることとなる。本発明に係る照明装置１を、車体前方左右両側のターンランプとして用いて、同様の点灯制御をおこなってもよい。
ターンランプとしての照明装置１をハザードランプとして点灯させる際に、図３、４または図５に示す点灯制御を行ってもよい。
トランク室蓋１０１の開閉状態に関わらず、図３、４または図５に示す点灯制御を行ってもよい。
【００４３】
（第３実施形態）
次に、本発明の第３実施形態に係る照明装置１’につき、図８〜１０を参照して説明する。図８は、本発明の第３実施形態に係る照明装置１’の構成を説明するための概略の正面図である。図８に示す様に、本実施形態の照明装置１’は、図１に示す第１実施形態の照明装置１に更に第３の光源２０Ｃを加えたものに相当する。第３の光源２０Ｃは第２の導光体１０Ｂの他方の端面１２Ｂ側に配置され、第２の導光体１０Ｂの他方の端面１２Ｂに対して光を照射する。すなわち、第２の導光体１０Ｂの他方の端面１２Ｂは第３の光源２０Ｃからの光が入射する光入射面として機能する。
【００４４】
図９は、図８の照明装置１’の電気回路構成の概略のブロック図である。図９に示すように、第３の光源２０Ｃも、第１および第２の光源２０Ａ、２０Ｂと同様に、制御回路を備える制御部３０に電気的に接続される。制御部３０は、第１および第２の光源２０Ａ、２０Ｂの点灯制御に加え、第３の光源２０Ｃの点灯制御も行う。
第３の光源２０ＣはＬＥＤ２１Ｃを有するものとする。ＬＥＤ２１Ｃに代えて、ＥＬ（Electro Luminescence）素子、白熱電球、ハロゲン電球、冷陰極管など、公知の光源を採用することができる。第３の光源２０Ｃから放出される光はどのような色であってもよい。
【００４５】
（点灯制御）
図１０は、本実施形態に係る制御部３０が行う点灯制御の例を説明するための図である。図１０の（Ａ）は照明装置１’の第１の光源２０Ａの輝度ＩＡの制御態様を、時間ｔを横軸にとって示す説明図である。図１０の（Ｂ）は照明装置１’の第２の光源２０Ｂの輝度ＩＢの制御態様を、時間ｔを横軸にとって示す説明図である。図１０の（Ｃ）は照明装置１’の第３の光源２０Ｃの輝度ＩＣの制御態様を、時間ｔを横軸にとって示す説明図である。
【００４６】
制御部３０が第１の光源２０Ａについて行う点灯制御は、第１実施形態と同様、図１０の（Ａ）に示す様に、第１の光源２０Ａの輝度ＩＡを０から第１の設定輝度Ｉ１まで徐々に増加させる第１の増加制御と、第１の増加制御に引き続き、第１の光源２０Ａの輝度ＩＡを第１の設定輝度Ｉ１で維持する第１の維持制御と、第１の維持制御に引き続き、第１の光源２０Ａの輝度を第１の設定輝度Ｉ１から０まで徐々に減少させる第１の減少制御と、を含む。また、制御部３０が第２の光源２０Ｂについて行う点灯制御は、第１実施形態と同様、図１０の（Ｂ）に示す様に、第２の光源２０Ｂの輝度ＩＢを０から第２の設定輝度Ｉ２まで徐々に増加させる第２の増加制御と、第２の増加制御に引き続き、第２の光源２０Ｂの輝度ＩＢを第２の設定輝度Ｉ２で維持する第２の維持制御と、第２の維持制御に引き続き、第２の光源２０Ｂの輝度ＩＢを第２の設定輝度Ｉ２から０まで徐々に減少させる第２の減少制御と、を含む。図１０の（Ａ）および（Ｂ）に示す各制御の各時点ｔ１ａ〜ｔ４ａ、ｔ１ｂ〜ｔ４ｂの先後関係は第１実施形態について説明したものと同じであり、ここでは説明を省く。
【００４７】
第３実施形態の制御部３０が第３の光源２０Ｃについて行う点灯制御は、図１０の（Ｃ）に示す様に、第３の光源２０Ｃの輝度ＩＣを０から第３の設定輝度Ｉ３まで徐々に増加させる第３の増加制御と、第３の増加制御に引き続き、第３の光源２０Ｃの輝度ＩＣを第３の設定輝度Ｉ３で維持する第３の維持制御と、第３の維持制御に引き続き、第３の光源２０Ｃの輝度を第３の設定輝度Ｉ３から０まで徐々に減少させる第３の減少制御と、を含む。
【００４８】
制御部３０が第３の増加制御により第３の光源２０Ｃの輝度ＩＣを０から増加させ始める時点を第３の増加開始時点ｔ１ｃとすると、第２の増加開始時点ｔ１ｂは第３の増加開始時点ｔ１ｃよりも先である。
また、制御部３０が第３の増加制御により第３の光源２０Ｃの輝度ＩＣを第３の設定輝度Ｉ３まで増加させ終わる時点を第３の増加終了時点ｔ２ｃとすると、第２の増加終了時点ｔ２ｂは第３の増加終了時点ｔ２ｃと同時か、第３の増加終了時点ｔ２ｃよりも先である。
【００４９】
また、制御部３０が第３の減少制御により第３の光源２０Ｃの輝度ＩＣを第３の設定輝度Ｉ３から減少させ始める時点を第３の減少開始時点ｔ３ｃとすると、第２の減少開始時点ｔ３ｂは第３の減少開始時点ｔ３ｃと同時である。
更に、第１の増加開始時点ｔ１ａから第３の増加終了時点ｔ２ｃまでの時間は０．２秒以下である。
【００５０】
このような点灯制御によれば、照明装置１’の第１の導光体１０Ａの一端側から第２の導光体１０Ｂの他端側へ向けて光がより円滑に流れるように見える演出を行うことができる。特に、第２の導光体１０Ｂの一端側から他端側へ向けて光が流れる見え方が向上する。第１実施形態の照明装置１との比較においては、第３の光源２０Ｃを追加していることから、第２の導光体１０Ｂの明るさを向上させることができる。
【００５１】
また、図１０に示す照明装置１’の点灯制御において、第２の増加制御における第２の光源２０Ｂの輝度ＩＢの増加速度、および、第３の増加制御における第３の光源２０Ｃの輝度ＩＣの増加速度は、第３の増加終了時点ｔ２ｃ直前までは、常に第２の導光体１０Ｂの一端側の方が他端側よりも明るく視認されるようにそれぞれ設定されていてもよい。なお、第２の増加終了時点ｔ２ｂは第３の増加終了時点ｔ２ｃより先としてもよい。
第２および第３の設定輝度Ｉ２、Ｉ３は第２の導光体１０Ｂの一端側と他端側とが同程度の明るさに見える設定としてもよいが、これに限らない。
【００５２】
第２の減少制御および第３の減少制御における第２の光源２０Ｂの輝度ＩＢの減少速度および第３の光源２０Ｃの輝度ＩＣの減少速度は、第３の減少終了時点ｔ４ｃに至るまで、常に第２の導光体１０Ｂの一端側の方が他端側よりも暗く視認されるように、それぞれ設定されていてもよい。あるいは、第２の導光体１０Ｂの一端側および他端側が常に同程度の明るさに見えるように設定してもよい。本実施形態においては、第２の減少終了時点ｔ４ｂは第３の減少終了時点ｔ４ｃよりも先としているが、同時としてもよい。第２の減少制御および第３の減少制御は、第２および第３の光源２０Ｂ、２０Ｃの輝度ＩＢ、ＩＣを、同時かつ瞬時に０とするものであってもよい。
【００５３】
上述の第１〜第３の光源２０Ａ、２０Ｂ、２０Ｃの点灯制御を繰り返し行ってもよく、その場合、第３の減少制御の終了時点である第３の減少終了時点ｔ４ｃに、次の回の点灯制御の第１の増加制御を開始することで、点灯制御を順次連続して行ってもよい。また、第３の減少終了時点ｔ４ｃと次の回の点灯制御の第１の増加制御開始の間に、消灯時間を挿入してもよい。
第３の増加制御においても、第３の光源２０Ｃの輝度ＩＣを時間ｔに対して指数関数的に増加させるものとしてもよい。
【００５４】
（第４実施形態）
第３実施形態の照明装置１’を自動車等の車両のターンランプに適用した例を、図１１に基づき説明する。図１１は本実施形態のターンランプとしての照明装置１’を含む自動車用灯体ユニットの一例として、自動車の車体の後方右側に装着されるリアコンビネーションランプ５０’を示す概略図であり、リアコンビネーションランプ５０’を自動車の後方側から見た概略図である。図７の構成と比較すると、第３の光源２０Ｃが追加されている点で異なる。図７の構成と同様の特徴については一部説明を省略する。
【００５５】
リアコンビネーションランプ５０’は、自動車１００（図６参照）のトランク室蓋１０１の後方面に配置される第１部分５０Ａと、自動車１００のボディ１０２の後方面に配置される第２部分５０Ｂ’の２つの部分からなる。第１部分５０Ａは、第２実施形態のリアコンビネーションランプ５０の第１部分５０Ａと同じ構成を有する。第２部分５０Ｂ’は、第２の導光体１０Ｂと、第２の光源２０Ｂと、第３の光源２０Ｃと、灯体５１３（例えば、ブレーキランプ、バックランプ、ポジションランプのいずれか）と、車体内側に対面する第２のケーシング５２Ｂと、第２のケーシング５２Ｂの外周縁に嵌合されて第２部分５０Ｂの表側となる樹脂製カバー（図示略）と、を備える。図１１の第１および第２の導光体１０Ａ、１０Ｂ、第１〜第３の光源２０Ａ、２０Ｂ、２０Ｃ、および、図９に示す制御部３０が照明装置１’を構成する。
【００５６】
本実施形態のリアコンビネーションランプ５０’において、図１０に基づき説明した照明装置１’の点灯制御またはその変形例としての点灯制御を行うと、車体の後方から見た場合、第１の導光体１０Ａの左側の端部から第２の導光体１０Ｂの右側の端部へ向かって光が流れるように見えることとなる。このような照明態様により、右側のターンランプ（照明装置１’）を点灯させたときには、自動車の進路変更方向である右側へ向かって光が第１および第２の導光体１０Ａ、１０Ｂの長手方向に沿って流れるような演出を行うことができ、外部の観察者に対して自動車の進路変更方向をより明確に知らせることができる。
【００５７】
本発明の照明装置１’を本実施形態のように自動車のターンランプとして用いる場合、第１の導光体１０Ａの一端から第２の導光体１０Ｂの他端までの長さは約２００ｍｍ〜５００ｍｍの範囲内とすることが例示できる。また、第１〜第３の光源２０Ａ、２０Ｂ、２０Ｃや第１および第２の導光体１０Ａ、１０Ｂの発光色をアンバー色とすることが例示できる。
また、図１０の点灯制御またはその変形例の点灯制御において、第１の増加開始時点ｔ１ａから第３の減少終了時点ｔ４ｃまでの時間は０．２５秒から１秒の範囲内であるものとすることが好ましい。また、第３の減少開始時点ｔ３ｃから第３の減少終了時点ｔ４ｃまでの時間を０．５秒以下とすることが好ましい。第１の導光体１０Ａの一端側から第２の導光体１０Ｂの他端側へ向かって光が円滑に流れるように見える照明効果をより好適に奏することができるためである。
また、第３の増加終了時点ｔ２ｃから第３の減少開始時点ｔ３ｃまでの時間を０．０５秒以上とすることが好ましい。第１〜第３の光源２０Ａ、２０Ｂ、２０Ｃをそれぞれ第１、第２、第３の設定輝度Ｉ１、Ｉ２、Ｉ３に維持する時間を十分に確保するためである。
【００５８】
図１１のリアコンビネーションランプ５０’と左右対称形の左側用のリアコンビネーションランプを図６に示す様に車体左側後方に配置してもよく、図１０に基づき説明した照明装置１’の点灯制御またはその変形例の点灯制御を左側用のリアコンビネーションランプについて行うと、車体の後方から見た場合、第１の導光体１０Ａの右側の端部から第２の導光体１０Ｂの左側の端部へ向かって光が流れるように見える照明効果が得られることとなる。本発明に係る照明装置１’を、車体前方左右両側のターンランプとして用いて、同様の点灯制御をおこなってもよい。
ターンランプとしての照明装置１’をハザードランプとして点灯させる際に、図１０に示す点灯制御または変形例の点灯制御を行ってもよい。
トランク室蓋１０１の開閉状態に関わらず、図１０に示す点灯制御またはその変形例の点灯制御を行ってもよい。
【００５９】
（変形例）
第１実施形態、第２実施形態に係る照明装置１の第２の光源２０Ｂを第２の導光体１０Ｂの一端側ではなく他端側に配置し、第２の光源２０Ｂから第２の導光体１０Ｂの他方の端面１２Ｂに対して光を照射するようにして、図３、４または図５に示す点灯制御を行ってもよい。
本発明の照明装置１、１’の第２の光源２０Ｂを、第１の導光体１０Ａの他端の裏側に配置して、照明装置１、１’の正面から第２の光源２０Ｂが目視されないようにしてもよい。
本発明の照明装置１、１’は、ターンランプ用途以外にも、車両のルーフトリムに設けられて車室内の全体を照明するためのルームランプ、ドア開口部の足元側に設けられてドアの開閉時に上方に光を放つスカッフランプ、インストルメントパネルの下部に設けられて前席乗員の足元を照らすための足元ランプ、ドアトリムのドアポケット内に設けられて当該ドアポケット内から上方に光を放つドアポケットランプなど、車室内に設けられるランプとして用いることもできる。さらには、車両用途に限らず、交通標識、広告表示灯、警告表示灯、建物や庭園用のイルミネーション、アドバルーン灯など、必要に応じて様々な用途に用いることができる。
【００６０】
なお、以上説明した本発明の複数の実施形態およびそれらの変形例は、本発明の代表的な形態を示したものに過ぎず、本発明はそれらに限定されるものではない。したがって、本発明は、本発明の骨子を逸脱しない範囲、すなわち、本明細書に記載した事項から当業者が容易に想到できるものや、本明細書に記載した発明と実質的に同一のもの、いわゆる均等の範囲において種々変形して実施することができ、それらも本発明に含まれる。
【符号の説明】
【００６１】
１、１’…照明装置
１０Ａ…第１の導光体
１０Ｂ…第２の導光体
２０Ａ…第１の光源
２０Ｂ…第２の光源
２０Ｃ…第３の光源
２１Ａ〜Ｃ…ＬＥＤ
３０…制御部（制御装置）
５０、５０’…リアコンビネーションランプ
５０Ａ…第１部分
５０Ｂ、５０Ｂ’…第２部分
５１１〜５１３…灯体
５２Ａ…第１のケーシング
５２Ｂ…第２のケーシング
１００…自動車
１０１…トランク室蓋
１０２…ボディ
【図１】
2019055727.tif 000003
【図２】
2019055727.tif 000004
【図３】
2019055727.tif 000005
【図４】
2019055727.tif 000006
【図５】
2019055727.tif 000007
【図６】
2019055727.tif 000008
【図７】
2019055727.tif 000009
【図８】
2019055727.tif 000010
【図９】
2019055727.tif 000011
【図１０】
2019055727.tif 000012
【図１１】
2019055727.tif 000013